(57)【特許請求の範囲】
【請求項１】
全体の形状が一面が開口した浅い箱状体で、開口を扉面に向けて装着される錠箱カバーと、この錠箱カバー内に収納される錠箱とを有し、上記錠箱カバーと錠箱とは夫々扉面に垂直な第１及び第２基準軸を同軸にして組付けられるものとし、一方、錠箱カバーの一側面を錠箱のフロント板が露出するように切り欠くと共に、第１基準軸に関し上下対称に一対の挿通穴を設け、この挿通穴に錠箱のラッチを操作するための角軸を通すようにし、扉の左右勝手に応じて、錠箱カバーを第１基準軸の回りを１８０度回して扉面に装着すると共に、錠箱を水平軸の回りを１８０度回して裏返した状態で錠箱カバーに収納し、上記一対の挿通穴の内、角軸が通らない方の挿通穴を蓋プラグで閉塞するようにしたことを特徴とする空錠。
【発明の詳細な説明】
【技術分野】
【０００１】
この発明は、蝶番の回りを回動するように開閉する所謂スイング扉の空錠（以下単に空錠という）に係り、特に、扉の左右勝手に対応して、左勝手の扉にも右勝手の扉にも同一の機構で対応できる空錠に関する。
【背景技術】
【０００２】
例えば門扉錠や屋内の部屋の扉には、通常、空錠、つまり、ラッチ機能のみを有する錠前が装備されている。
【０００３】
一方、空錠に限らず、錠前には所謂左右勝手という概念があり、本出願人会社では、扉を開けるとき扉が出る側の空間に立って右側に蝶番がある場合を右勝手、左側にある場合を左勝手と定義している。
【特許文献１】特開平０１−２１０５８３号公報
【発明の開示】
【発明が解決しようとする課題】
【０００４】
図１で（Ａ）は左勝手の扉を、（Ｂ）は右勝手の扉を示すが、図１から明らかなように、錠箱１は夫々扉２の自由側端縁部に埋設され、或いは装着されるから、錠箱及びハンドル３は扉面に垂直な鉛直平面に関し面対称となるので、通常は左右勝手に応じて２種類の錠箱やハンドル、ノブ等を用意しなければならない。
【０００５】
本出願人が先に提案した上記特許文献１に記載の空錠としての門扉錠においても同様で、空錠に限らず一般の錠前に宿命として、左右勝手に応じて２種類の錠箱を用意しなければならない、という不都合がある。
【０００６】
そこで、この発明は、扉の左右勝手に対応して、左勝手の扉にも右勝手の扉にも同一の機構で対応できる空錠を提供し、以て上記した不都合を解消することを目的としている。
【課題を解決するための手段】
【０００７】
上記の目的を達成するため、請求項１に記載の発明は、全体の形状が一面が開口した浅い箱状体で、開口を扉面に向けて装着される錠箱カバーと、この錠箱カバー内に収納される錠箱とを有し、上記錠箱カバーと錠箱とは夫々扉面に垂直な第１及び第２基準軸を同軸にして組付けられるものとし、一方、錠箱カバーの一側面を錠箱のフロント板が露出するように切り欠くと共に、第１基準軸に関し上下対称に一対の挿通穴を設け、この挿通穴に錠箱のラッチを操作するための角軸を通すようにし、扉の左右勝手に応じて、錠箱カバーを第１基準軸の回りを１８０度回して扉面に装着すると共に、錠箱を水平軸の回りを１８０度回して裏返した状態で錠箱カバーに収納し、上記一対の挿通穴の内、角軸が通らない方の挿通穴を蓋プラグで閉塞するようにしたことを特徴とする。
【発明の効果】
【０００８】
上記のように構成された請求項１に記載の発明は、左右勝手を換えるとき、錠箱カバーを第１基準軸の回りを１８０度回して扉面に装着する事により、今まで使用していなかった挿通穴を角軸に整合させると共に、側面の開口の向きを換え、錠箱を水平軸の回りを１８０度回して裏返した状態で錠箱カバーに収納することにより錠箱のラッチの向きを変えることができるので、同一の機構を切換えて左右勝手に対応できた。
【０００９】
また、使用しない挿通穴を蓋プラグで閉塞するようにしたので、空錠の美観を損ねることなく、デザイン上も優れたものになる、等種々の効果を奏する。
【発明を実施するための最良の形態】
【００１０】
錠箱と、この錠箱を収納する錠箱カバーとに夫々扉面に垂直な第１及び第２基準軸を設け、これらの基準軸を同軸にして組付けるようにし、扉の左右勝手に応じて、錠箱カバーを第１基準軸の回りを１８０度回して扉面に装着すると共に、錠箱を水平軸の回りを１８０度回して裏返した状態で錠箱カバーに収納し、上記一対の挿通穴の内、角軸が通らない方の挿通穴を蓋プラグで閉塞するようにしたので、同一の機構で左右勝手に応じて切換えることができる空錠を提供することができた。
【実施例１】
【００１１】
以下、この発明の実施例を図面を参照して説明する。
図示の実施例では、この発明を門扉錠に適用した場合を示す。
【００１２】
図２及び図３において符号４は錠箱カバーを示し、この錠箱カバー４は、図４乃至図７に示すように、一面（図６で上面）が開口した細長くて浅い箱状体で、後に述べるように、図６で示した上面を扉面に向けて扉面に装着される。
【００１３】
また、図４及び図６に示すように、その一側面（図６で左側の側面）は後述する錠箱のフロント板５（図７参照）が露出するように細長く切り欠かれている。
【００１４】
ちなみに、図示の実施例では、フロント板５は錠箱の正面板にねじ止めされている（図７参照）。
【００１５】
一方、図８において符号６は錠箱を示し、この錠箱１は前述したように錠箱カバー４内に収納され、後述するようにして錠箱カバー４に結合されると共に、錠箱カバー４と一体的に扉面７に装着される。
【００１６】
なお、この錠箱１の構造は周知であるから詳細な説明は省略するが、図３に示すように、錠箱１を貫通する角軸８の両端にハンドル９等の外部操作部材を装着し、角軸８の錠箱内にある部分に、ラッチ軸１１（図８参照）を操作するリトラクター１２を装着している。
【００１７】
他方、上記錠箱カバー４及び錠箱１は、夫々扉面に垂直な第１基準軸６（図２及び図３参照）の及び第２基準軸１３（図２、図３及び図８参照）を有し、これら第１及び第２基準軸を同軸にして組付けられるものとする。
【００１８】
また、錠箱カバー４の外面には、図２及び図５に示すように、第１基準軸６に関し上下対称に一対の挿通穴１４、１４が開口しており、この挿通穴１４は、錠箱のラッチを操作するための角軸８を通すものである（図３参照）。
【００１９】
後述するように、これらの挿通穴１４、１４は左右勝手に応じて上下逆転するのだが、使用しない挿通穴１４を蓋プラグ１５（図３参照）で閉塞するようにしている。
【００２０】
上記のように構成された錠箱１及び錠箱カバー４は、図２に示すように、錠箱１を貫通する一対の取付ねじ１６、１６の先端を、夫々錠箱カバー４の内面に形成された取付ねじ穴１７（図５参照）に捩じ込むことにより一体的に結合される。
【００２１】
なお、図５において取付ねじ穴１７、１７間の４個のねじ穴は、この錠箱カバーを部品として共有する他の錠前において用いるもので、この発明と関係が無いので、更に詳細な説明は省略する。
【００２２】
また、取付ねじ穴１７、１７はの左右方向の位置は、取付ねじ１６、１６を用いて錠箱１を錠箱カバー４に装着したとき、前記第１及び第２基準軸６、１３が整合するように設定されている。
【００２３】
上記のようにして一体的に結合された錠箱１及び錠箱カバー４は、図３に示すように、断面が細長いコ字形の取付板１８を介して、扉面７に装着される。
【００２４】
上記取付板１８は、図９及び図１０に示すように、長さ方向に奏２箇所に前記角軸８を通すための挿通孔１９、１９を開口させ、上下端部をほぼ直角に折り曲げた板材で、その上下の折り曲げ部において錠箱カバー４をねじ止めし、中央部の２箇所を通る皿ビスにより扉面７に装着される。
【００２５】
言うまでもないことであるが、取付板１８を扉面に装着した後錠箱カバー４をねじ止めする。
【００２６】
なお、錠箱カバー４をねじ止めする部分が外面に露出されていると、悪戯により錠箱カバーを外される恐れがあるので、図示の実施例では錠箱カバーを扉の内面に装着するものとしたが、例えば通常の座板のように内側からねじで呼び付けるように扉面に装着するときには、錠箱カバー４を外面側に取付けても良い。
【００２７】
なお、図３において符号２１は外側の座板を示す。
【００２８】
上記のように構成されたこの発明の一実施例による空錠は、錠箱を水平軸の回りを１８０度回すようにして裏返し、これを錠箱カバーにねじ止めした後、錠箱カバー４を第１基準軸６の回りを１８０度回動させて取付板１８にねじ止めすることにより（図３参照）、扉の左右勝手に対応させることができる。
【図面の簡単な説明】
【００２９】
【図１】扉の左右勝手を説明するための線図。
【図２】錠箱カバーの正面図。
【図３】この発明の一実施例による空錠の断面図。
【図４】錠箱カバーの側面図。
【図５】錠箱カバーの裏面図。
【図６】錠箱カバーの横断面図。
【図７】錠箱を収納した錠箱カバーの側面図。
【図８】錠箱を収納した錠箱カバーの横断面図。
【図９】取付板の正面図。
【図１０】取付板の一部断面側面図。
【符号の説明】
【００３０】
１  錠箱
２  扉
４  錠箱カバー
５  フロント板
６  第１基準軸
７  扉面
８  角軸
９  ハンドル
１１  ラッチ軸
１２  リトラクター
１３  第２基準軸
１４  挿通穴
１５  蓋プラグ
１６  取付ねじ
１７  取付ねじ穴
１８  取付板
１９  挿通孔
２１  座板
【図１】
0005315560.tif 000002
【図２】
0005315560.tif 000003
【図３】
0005315560.tif 000004
【図４】
0005315560.tif 000005
【図５】
0005315560.tif 000006
【図６】
0005315560.tif 000007
【図７】
0005315560.tif 000008
【図８】
0005315560.tif 000009
【図９】
0005315560.tif 000010
【図１０】
0005315560.tif 000011